(57)【要約】【課題】天井部に設けられる照明収納部の放熱性が向上するユニットルームの照明収納部の取付構造を提供する。【解決手段】上端部に起立片１３が設けられる壁パネル１と、天井面板２１とその側端部から垂下される垂下片とを有する天井パネル２と、を備え、起立片１３に天井面板２１が載置され、起立片１３と垂下片とが連結されてなるユニットルームの照明収納部３の取付構造である。照明収納部３は、下方に開口する略矩形箱状をして照明が収納される筐体部３１と、筐体部３１の下端の一側端部から連設される取付部３２と、が一体に形成される。取付部３２は、筐体部３１の下端から連設される天井面板３３と、その先端の端部から下方に垂下される垂下片３４と、を備える。起立片１３上に天井面板３３が載置され、起立片１３と垂下片３４とが連結される。天井パネル２の照明収納部３に隣接する端部に起立片２２が形成され、筐体部３１と起立片２２とが連結される。【選択図】図１
2013256813.tif 000002
【特許請求の範囲】
【請求項１】
上端部に起立片が設けられる壁パネルと、天井面板と前記天井面板の側端部から垂下される垂下片とを有する天井パネルと、を備え、
前記起立片上に前記天井面板が載置され、前記起立片と前記垂下片とが連結されてなるユニットルームの照明収納部の取付構造であって、
前記照明収納部は、下方に開口する略矩形箱状をして照明が収納される筐体部と、前記筐体部の下端の一側端部から連設される取付部と、が一体に形成され、前記取付部は、前記筐体部の下端から連設される天井面板と、前記取付部の前記天井面板の端部から下方に垂下される垂下片と、を備え、
前記起立片上に前記取付部の前記天井面板が載置され、前記起立片と前記取付部の前記垂下片とが連結され、
前記天井パネルの前記照明収納部に隣接する端部に起立片が形成され、
前記筐体部と前記天井パネルの前記起立片とが連結されることを特徴とするユニットルームの照明収納部の取付構造。
【発明の詳細な説明】
【技術分野】
【０００１】
本発明は、ユニットルームの天井に設けられる照明の取付構造に関するものである。
【背景技術】
【０００２】
ユニットルームは、床パンに壁パネルが設置され、壁パネル上に天井パネルが設置されて組み立てられて構成される。
【０００３】
壁パネル１は、図２に示すように、壁面板１１の上端部がユニット外方側に折曲されてなる横片１２と、該横片１２のユニット外方側端から上方に起立片１３と、を備えている。この起立片１３には周方向に複数のねじ挿入孔が穿孔されている。天井パネル２は、天井面板２１と、天井面板２１の側端部が下方に折曲されてなる垂下片（不図示）と、を備えている。天井パネル２と壁パネル１は、天井パネル２の天井面板２１が壁パネル１の起立片１３の上端に載置され、起立片１３に形成されたねじ挿入孔に挿入されたねじ１４が、垂下片にねじ込まれて螺着されることで、連結される。
【０００４】
また、天井として、天井パネル２の他に、下方に開口する略矩形箱状をした照明ボックス７が設けられている（例えば特許文献１参照）。照明ボックス７は、天井の周端縁部の一部に、天井パネル２に隣接して配置されるもので、照明ボックス取り付け天井８を介して壁パネル１に固定される。
【０００５】
照明ボックス取り付け天井８は、天井面板８１と、天井面板８１の一側（天井の端縁となる側）の端部から下方に垂下される垂下片８２と、天井面板８１の他の側（天井パネル２と隣接する側）の端部から上方に起立する起立片８３と、を備えている。この照明ボックス取り付け天井８は、上記天井パネル２と壁パネル１の連結と同様にして、壁パネル１に連結される。
【０００６】
照明ボックス７に隣接する天井パネル２は、照明ボックス７と隣接する端部が上方に折曲されて起立片２２が形成されている。
【０００７】
そして、両起立片２２、８３の間に照明ボックス７が配置されて、両起立片２２、８３と照明ボックス７に形成されたボルト貫通孔に、連結ボルト４１が挿通され、ナット４２が連結ボルト４１に螺着されて、照明ボックス７が天井パネル２と照明ボックス取り付け天井８に固定される。
【先行技術文献】
【特許文献】
【０００８】
【特許文献１】実開昭６１−１７８２１５号公報
【発明の概要】
【発明が解決しようとする課題】
【０００９】
上記のような照明ボックス７の取付構造にあっては、別体の照明ボックス７と照明ボックス取り付け天井８とが連結ボルト４１およびナット４２により連結されている。このため、照明ボックス７から照明ボックス取り付け天井８への熱伝導性が低く、照明ボックス７からの放熱性が低いものであった。
【００１０】
本発明は上記従来の問題点に鑑みて発明したものであって、その目的とするところは、天井部に設けられる照明収納部の放熱性が向上するユニットルームの照明収納部の取付構造を提供することを課題とするものである。
【課題を解決するための手段】
【００１１】
上記課題を解決するために、本発明は、以下のような構成とする。
【００１２】
上端部に起立片が設けられる壁パネルと、天井面板と前記天井面板の側端部から垂下される垂下片とを有する天井パネルと、を備え、
前記起立片上に前記天井面板が載置され、前記起立片と前記垂下片とが連結されてなるユニットルームの照明収納部の取付構造であって、
前記照明収納部は、下方に開口する略矩形箱状をして照明が収納される筐体部と、前記筐体部の下端の一側端部から連設される取付部と、が一体に形成され、前記取付部は、前記筐体部の下端から連設される天井面板と、前記取付部の前記天井面板の端部から下方に垂下される垂下片と、を備え、
前記起立片上に前記取付部の前記天井面板が載置され、前記起立片と前記取付部の前記垂下片とが連結され、
前記天井パネルの前記照明収納部に隣接する端部に起立片が形成され、
前記筐体部と前記天井パネルの前記起立片とが連結されることを特徴とする。
【発明の効果】
【００１３】
本発明のユニットルームの照明収納部の取付構造にあっては、照明収納部からの放熱性が向上するものである。
【図面の簡単な説明】
【００１４】
【図１】本発明の一実施形態の要部断面図である。
【図２】従来例の要部断面図である。
【発明を実施するための形態】
【００１５】
以下、本発明の一実施形態について図１に基いて説明する。
【００１６】
浴室ユニット等のユニットルームは、床パン等からなる床部に、壁パネル１等からなる壁部が設置され、壁部上に天井パネル２等の天井部が設置されて組み立てられて構成される。本実施形態ではユニットルームは浴室ユニットであるが、浴槽が設置されないシャワールームや他の用途の部屋でもよく、特に限定されない。
【００１７】
床部としては、床パンの他、洗い場側床パンと浴槽自体とで構成されるものであってもよく、特に限定されない。
【００１８】
壁部としては、壁パネル１の他、ドア枠にドアが取り付けられてなるドア部が設けられるものであってもよく、特に限定されない。壁パネル１は、壁面板１１の上端部がユニット外方側に折曲されてなる横片１２と、該横片１２のユニット外方側端から上方に折曲されてなる起立片１３と、を備えている。この起立片１３には周方向に複数のねじ挿入孔が穿孔されている。また、壁面板１１のユニット外方側の面には、断熱材１５が貼着されている。
【００１９】
天井部としては、天井パネル２の他、後述する本実施形態の照明収納部３が設けられるものである。天井パネル２は、天井面板２１と、天井面板２１の側端部が下方に折曲されてなる垂下片（不図示）と、を備えている。天井面板２１の上面には断熱材２３が貼着されている。
【００２０】
天井パネル２と壁パネル１は、背景技術で説明したように、起立片１３に形成されたねじ挿入孔を介してねじ１４が垂下片にねじ込まれて、連結される。
【００２１】
また、天井パネル２と壁パネル１の間には、周方向に廻縁５が装着される。廻縁５は廻縁取付け具６に装着される。廻縁取付け具６は、本体部にねじ挿通孔が形成され、本体部のねじ挿通孔が形成されていない部分に廻縁被着部６１が形成される。このねじ挿通孔に挿入されたねじ１４が起立片１３に形成されたねじ挿入孔を介して垂下片にねじ込まれ、廻縁取付け具６が固定される。そして、廻縁被着部６１に廻縁５が装着される。
【００２２】
照明収納部３は、下方に開口する略矩形箱状をした筐体部３１と、天井パネル２と同様に壁パネル１に取り付けられる取付部３２と、が一体に形成されてなるものである。本実施形態では、照明収納部３はアルミニウムで形成されているが、他の金属やその他の材質でもよく、特に限定されない。照明収納部３は、天井部の周端縁部の一部に、天井パネル２に隣接して配置されるものである。筐体部３１内には、ＬＥＤ照明や、電球、蛍光灯等、各種の照明が収納される。なお、筐体部３１は、複数の別体のパーツが嵌合により組み合わされてもよいが、一体で形成されるのが好ましい。
【００２３】
取付部３２は、筐体部３１の下端の一側端部から連設される天井面板３３と、天井面板３３の先端の端部から下方に垂下される垂下片３４と、を備えており、これらは天井パネル２の天井面板２１および垂下片と同様に形成されている。また、照明収納部３に隣接する天井パネル２は、照明収納部３と隣接する端部が上方に折曲されて起立片２２が形成されている。
【００２４】
筐体部３１の対向する側壁３５と、天井パネル２の起立片２２とにそれぞれ、ボルト貫通孔が形成されている。
【００２５】
この照明収納部３にあっては、取付部３２の天井面板３３が壁パネル１の起立片１３の上端に載置され、起立片１３に形成されたねじ挿入孔にユニット外方より挿入されたねじ１４が、取付部３２の垂下片３４にねじ込まれて螺着されることで、壁パネル１に連結される。
【００２６】
筐体部３１の取付部３２が連設されていない側の側壁３５と、天井パネル２の起立片２２とが、ボルト貫通孔が連通するように重ね合わせられて配置される。そして、天井パネル２の起立片２２に形成されたボルト貫通孔に連結ボルト４１が挿通され、連結ボルト４１は筐体部３１の両側壁３５のボルト貫通孔を挿通してナット４２が螺着されて、筐体部３１が天井パネル２に固定される。
【００２７】
上記のような照明収納部３の取付構造にあっては、筐体部３１と取付部３２とが照明収納部３として一体に形成されている。このため、従来のように別体の照明ボックス７と照明ボックス取り付け天井８との間の熱伝導性が低いといったことがない。このため、照明収納部３内に収納される照明が発する熱が、筐体部３１および取付部３２を伝導し易くなる。この結果、筐体部３１や取付部３２から放射されることで放熱されたり、壁パネル１に伝導して放熱されたりして、放熱性が向上するものである。  
【符号の説明】
【００２８】
１    壁パネル
１１  壁面板
１２  横片
１３  起立片
１４  ねじ
１５  断熱材
２    天井パネル
２１  天井面板
２２  起立片
２３  断熱材
３    照明収納部
３１  筐体部
３２  取付部
３３  天井面板
３４  垂下片
３５  側壁
４１  連結ボルト
４２  ナット
５    廻縁
６    廻縁取付け具
６１  廻縁被着部
【図１】
2013256813.tif 000003
【図２】
2013256813.tif 000004